(57)【要約】      （修正有）【課題】簡易な構成で、且つ、小型化の促進を図り得るようにして、安定した高精度な処置操作を実現する超音波処置装置を提供する。【解決手段】超音波振動を発生するランジュバン型ボルト締め超音波振動子１２と、発振された超音波振動を増幅するホーン１２１と、超音波振動を伝達して生体組織を処置するものであって、先端部生体組織の回収用開口部及び吸引路が設けられたプローブ１１と、前記超音波振動子を軸方向を傾斜させて内装する把持部１０とを備えて超音波処置装置を構成した。【選択図】図２
2006006390.tif 000002
【特許請求の範囲】
【請求項１】
超音波振動を発振する超音波振動子と、
前記超音波振動子で発振された超音波振動を増幅するホーンと、
前記ホーンで増幅された超音波振動を生体組織に伝達して該生体組織を処置するものであって、先端部に生体組織の回収用開口部及び吸引路が設けられたプローブと、
前記超音波振動子に外装されるものであって、前記超音波振動子の軸方向に対して傾斜されて配される把持部と
を具備することを特徴とする超音波処置装置。
【請求項２】
超音波振動を発振する超音波振動子と、
前記超音波振動子で発振された超音波振動を増幅するホーンと、
前記ホーンで増幅された超音波振動を生体組織に伝達して該生体組織を処置するものであって、先端部に生体組織の回収用開口部及び吸引路が設けられたプローブと、
前記超音波振動子に外装され、前記超音波振動子の末端部が突出、若しくは略面一に位置される末端部を有する把持部と
を具備することを特徴とする超音波処置装置。
【請求項３】
前記超音波振動子は、少なくとも１つの圧電素子を電極で挟装して相互間にボルトを貫通させて、前記ホーンと一体的に組付けたブロック構造を有するランジュバン型ボルト締め超音波振動子であることを特徴とすることを請求項１又は２記載の超音波処置装置。
【発明の詳細な説明】
【技術分野】
【０００１】
この発明は、例えば外科手術等の手術において生体組織を粉砕・乳化するのに用いられる超音波処置装置に関する。
【背景技術】
【０００２】
一般に、この種の超音波処置装置は、超音波振動子で発振された超音波振動がホーンを介してプローブに伝達され、このプローブを生体組織に押し付けることにより、プローブからの超音波振動により、生体組織の粉砕・乳化が行われる。このような超音波処置装置は、粉砕・乳化を行うために必要な高出力の超音波振動を発振可能な超音波振動子が内装されるため、発熱対策や小型化の促進が強く要請されている。
【０００３】
ところで、このような超音波処置装置は、ハンドピースの把持部内に同軸的に超音波振動子を内装し、このハンドピースに設けられる把持部を術者が手に持って、所望の処置が施される（例えば、特許文献１参照。）。このハンドピースの把持部の末端部には、超音波振動子と電気的に接続される接続ケーブル及び吸引路に接続される管路口金が配される。このため、把持部は、比較的大形となるという問題を有する。
【０００４】
そこで、従来より、電極及び圧電素子で形成されるブロック構造のランジュバン型ボルト締め超音波振動子の一部に溝を形成して、この溝に電極を埋設して配線上に工夫を施すことにより、超音波振動子が内装される把持部の小型化を図るようにしたものが提案されている（例えば、特許文献２参照。）。
【０００５】
また、把持部の小型化を図る構成としては、その他、超音波振動子に接続される接続ケーブルと把持部との間に絶縁性部材を介在して内装することにより、把持部との間の空隙を密にした内部構造を実現するようにした技術も提案されている（例えば、特許文献３参照。）。
【特許文献１】米国特許第５１７８６０５号明細書
【特許文献２】特開平５−７６５７２号公報
【特許文献３】特開平５−９５９５７号公報
【発明の開示】
【発明が解決しようとする課題】
【０００６】
しかしながら、上記特許文献２の超音波処置装置では、超音波振動子の溝を形成する構造のため、振動工学的に不安定となり、発熱を起こしたり、接続ケーブルが超音波振動子の溝に擦り付けられて摩損を招くという問題を有する。
【０００７】
また、上記特許文献３の超音波処置装置では、ハンドピースの内部構造を密に配する構成のために、接続ケーブルが超音波振動子に擦り付けられて、摩損を招くという問題を有する。
【０００８】
この発明は上記の事情に鑑みてなされたもので、簡易な構成で、且つ、小型化の促進を図り得るようにして、安定した高精度な処置操作を実現した超音波処置装置を提供することを目的とする。
【課題を解決するための手段】
【０００９】
この発明は、超音波振動を発振する超音波振動子と、前記超音波振動子で発振された超音波振動を増幅するホーンと、前記ホーンで増幅された超音波振動を生体組織に伝達して該生体組織を処置するものであって、先端部に生体組織の回収用開口部及び吸引路が設けられたプローブと、前記超音波振動子に外装されるものであって、前記超音波振動子の軸方向に対して傾斜されて配される把持部とを備えて超音波処置装置を構成した。
【００１０】
上記構成によれば、把持部内には、超音波振動子が傾斜されて収容配置されることにより、超音波振動子との間の接続ケーブル用の配線空間及び吸引路の配置を無駄な空間を設けることなく、効率的に配置することが可能となり、把持部外径を最小限に設定することができる。従って、超音波振動子の高出力化を図ったうえで、処置操作に好適するまでの小型化が図れる。
【００１１】
また、この発明は、超音波振動を発振する超音波振動子と、前記超音波振動子で発振された超音波振動を増幅するホーンと、前記ホーンで増幅された超音波振動を生体組織に伝達して該生体組織を処置するものであって、先端部に生体組織の回収用開口部及び吸引路が設けられたプローブと、前記超音波振動子に外装され、前記超音波振動子の末端部が突出、若しくは略面一に位置される末端部を有する把持部とを備えて超音波処置装置を構成した。
【００１２】
上記構成によれば、超音波振動子は、その末端部が把持部の末端部に対して突出、若しくは略面一となるように内装され、この把持部内に内装された超音波振動子の末端部に対して外部接続部品が装着される。これにより、超音波振動子の高出力化を確保したうえで、把持部の短縮化を図ることができて、処置操作に好適するまでの小型化の促進を図ることが可能となる。
【発明の効果】
【００１３】
この発明によれば、簡易な構成で、且つ、小型化の促進を図り得るようにして、安定した高精度な把持操作を実現した超音波処置装置を提供することができる。
【発明を実施するための最良の形態】
【００１４】
以下、この発明の実施の形態について、図面を参照して詳細に説明する。
【００１５】
（第１の実施の形態）
図１は、この発明の第１の実施の形態に係る超音波処置装置を示すもので、ハンドピース１には、カバーを構成する把持操作用把持部１０の先端部に処置部である吸引用の開口部の設けられたプローブ１１が螺子締結により取付けられる。そして、このハンドピース１には、装置本体２が接続ケーブル３及び吸引管路を構成する吸引チューブ４の各一端が接続される。このうち接続ケーブル３の他端は、装置本体２の接続コネクタ５に電気的に接続される。他方の吸引チューブ４は、他端が吸引ポンプ６を介して吸引瓶７に連結される。
【００１６】
装置本体２には、電源スイッチ２ａ、超音波出力レベルスイッチ２ｂが設けられる。また、装置本体２には、フットスイッチ８が接続ケーブル２ｃを介して電気的に接続される。このフットスイッチ８には、例えば超音波出力ペダル８ａと吸引用ペダル８ｂが設けられ、この超音波出力ペダル８ａ及び吸引用ペダル８ｂの操作により、装置本体２の超音波出力系及び吸引ポンプ６をオン・オフ切換え制御する。
【００１７】
上記ハンドピース１は、図２に示すように上記把持部１０が略円筒状に形成され、その内部には、超音波振動子、例えばランジュバン型ボルト締め超音波振動子１２が非導電性のカニメ部材１３、位置決め部材１４を介して把持部１０の筒軸に対して、その振動子軸が傾斜角θを有して内装される。例えば、把持部１０は、その内部に傾斜角θを有する取付部１０１が設けられ、上記ランジュバン型ボルト締め超音波振動子１２をカニメ部材１３，位置決め部材１４を介して取付部１０１に対して位置決め収容することで内装される。ここで、把持部１０の外径寸法Ｄは、後述する吸引口金部材１５と１個のコード折れ止め部材１６を並設配置した形状と略同寸法となる。
【００１８】
上記ランジュバン型ボルト締め超音波振動子１２は、金属製のホーン１２１の基端部に複数のドーナツ状のセラミック製の複数の圧電素子１２２を略真ん中に貫通孔の設けられた円盤状の複数の電極１２３で順に挟装して、これら圧電素子１２２及び電極１２３を金属製の裏打板１２４を介してブロック状に一体的に組付けて形成される。そして、ホーン１２１の先端部には、上記プローブ１１が螺子締結等により取付けられる。
【００１９】
また、上記ランジュバン型ボルト締め超音波振動子１２の電極１２３は、電線１２５を介して相互間が電気的に接続され、この電線１２５が配線部材１２７を介して上記接続ケーブル３に電気的に接続される。この接続ケーブル３は、先端部に上記コード折れ止め部材１６が設けられ、このコード折れ止め部材１６を介して把持部１０の末端部において上記配線部材１２７と電気的に接続される。
【００２０】
これにより、ランジュバン型ボルト締め超音波振動子１２は、その電極１２３に接続ケーブル３を介して電力が供給されると、圧電素子１２２に均一的に電位差がかけられて超音波振動を発生させる。
【００２１】
また、把持部１０の末端部には、ランジュバン型ボルト締め超音波振動子１２と同軸的に中空構造の吸引管路を構成する上記吸引口金部材１５が突設される。この吸引口金部材１５は、把持部１０内において、上記ランジュバン型ボルト締め超音波振動子１２の吸引路１２６が連結され、その外部露出側に上記吸引チューブ４が連結されて相互間を連通する。
【００２２】
なお、ハンドピース１の把持部１０は、上記ランジュバン型ボルト締め超音波振動子１２を内装した状態で、外部からの水を含む水分の内部への侵入を防止する、所謂、防水構造に形成される。
【００２３】
上記構成において、図１及び図２をもちいて凝固・切開処置を施す場合を示すと、術者がハンドピース１の把持部１０を把持すると共に、装置本体２の電源スイッチ２ａをオンさせ、超音波出力レベルスイッチ２ｂを操作して超音波出力レベルを所望のレベルに設定する。その後、術者は、フットスイッチ８の超音波出力ペダル８ａを踏んでオンさせると共に、吸引用ペダル８ｂを踏んでオンさせて吸引ポンプ６を駆動する。
【００２４】
ここで、ハンドピース１は、そのランジュバン型ボルト締め超音波振動子１２に装置本体２からの電力が接続ケーブル３を介して電極１２３に供給されて、電極１２３の電位差による圧電素子１２２の圧電効果によって超音波振動に変換されてホーン１２１に伝達され、該ホーン１２が略円錐状のテーパ面を利用して超音波振動を振幅拡大してプローブ１１に伝達する。
【００２５】
すると、プローブ１１は、ランジュバン型ボルト締め超音波振動子１２からの超音波振動が先端まで伝達されて、先端部で生体組織を粉砕・乳化し、その粉砕・乳化した生体組織を、その中空部で吸引する。このプローブ１１で吸引された生体組織は、ランジュバン型ボルト締め超音波振動子１２の吸引路１２６を通って吸引口金部材１５、吸引チューブ、吸引ポンプ６を介して吸引瓶７に排出される。
【００２６】
このように、上記超音波処置装置は、プローブ１１に伝達する超音波振動を発生するランジュバン型ボルト締め超音波振動子１２を、把持部１０内に軸方向を傾斜させて内装するように構成した。
【００２７】
これによれば、ランジュバン型ボルト締め超音波振動子１２に配線する接続ケーブル３のコード折れ止め部材１６の配置及び吸引口金部材１５の配置を無駄な空間を設けることなく、効率的に配置することが可能となり、把持部１０の外径を最小限に設定することができる。即ち、上記ランジュバン型ボルト締め超音波振動子１２を把持部１０内に傾斜角θを有して内装すると、把持部１０の外径寸法Ｄは、吸引口金部材１５と１個のコード折れ止め部材１６を並設配置した形状と略同寸法となる。
【００２８】
これに対して、例えば図３に示すようにランジュバン型ボルト締め超音波振動子１２を把持部１０ａに対して同軸的に内装した場合には、把持部１０ａの外径寸法ｄが、吸引口金部材１５を挟んで２個分のコード折れ止め部材１６を並設して配置した形状と略同寸法となり、本願発明の特徴とする把持部１０の外径寸法Ｄより径大となる（図２及び図３参照）。
【００２９】
このように第１の実施の形態では、ランジュバン型ボルト締め超音波振動子１２の高出力化を図ったうえで、処置操作に好適するまでの把持部１０の小型化（細径化）を図ることができる。
【００３０】
（第２の実施の形態）
図４は、この発明の第２の実施の形態に係る超音波処置装置を示すもので、ハンドピース１ａを構成する略円筒状の把持部２０には、その内壁に取付部２０１が設けられる。そして、この取付部２０１には、上記ランジュバン型ボルト締め超音波振動子１２が、同様に非導電性のカニメ部材１３及び位置決め部材（図４中では）を介して同軸的に内装される。
【００３１】
このランジュバン型ボルト締め超音波振動子１２は、同様に金属製のホーン１２１の基端部に複数のドーナツ状のセラミック製の圧電素子１２２を略真ん中に貫通穴の設けられた円盤状の複数の電極１２３で順に挟装して、これら圧電素子１２２及び電極１２３を金属製の裏打板１２４を介してブロック状に組付けて形成される。そして、このホーン１２１の先端部には、上記プローブ１１（図１参照）が取付けられる。
【００３２】
また、上記ランジュバン型ボルト締め超音波振動子１２の電極１２３は、電線１２５を介して相互間が電気的に接続され、この電線１２５が配線部材１２７を介して上記接続ケーブル３に電気的に接続される。この接続ケーブル３は、先端部に上記コード折れ止め部材１６が設けられ、このコード折れ止め部材１６を介して把持部２０の末端部において上記配線部材１２７と電気的に接続される。
【００３３】
これにより、ランジュバン型ボルト締め超音波振動子１２は、その電極１２３に接続ケーブル３を介して電力が供給されると、圧電素子１２２に均一的に電位差がかけられて超音波振動を発生させる。
【００３４】
また、上記ランジュバン型ボルト締め超音波振動子１２の吸引路１２６は、例えば上記把持部２０の末端部より突出された状態で、弾性部材１２８を介して封止構造に設けられる。即ち、把持部２０は、その軸方向の長さ寸法をＬ１とすると、ランジュバン型ボルト締め超音波振動子の軸方向の長さ寸法Ｌが、Ｌ１＜Ｌに設定される。そして、このランジュバン型ボルト締め超音波振動子１２の吸引路１２６の先端部には、例えば図５に示すタケノコ付き吸引チューブ２１の接続口２１１が装着される（図５参照）。
【００３５】
上記構成において、凝固・切開処置を施す場合には（図１、図４参照）、術者がハンドピース１の把持部２０を把持すると共に、上記装置本体２の電源スイッチ２ａをオンさせ、超音波出力レベルスイッチ２ｂを操作して超音波出力レベルを所望のレベルに設定する。その後、術者は、フットスイッチ８の超音波出力ペダル８ａを踏んでオンさせると共に、吸引用ペダル８ｂを踏んでオンさせて吸引ポンプ６を駆動する。
【００３６】
ここで、ハンドピース１は、そのランジュバン型ボルト締め超音波振動子１２に装置本体２からの電力が接続ケーブル３を介して電極１２３に供給されと、電極１２３の電位差による圧電素子１２２の圧電効果によって超音波振動に変換されてホーン１２１に伝達され、該ホーン１２１が略円錐状のテーパ面を利用して超音波振動を振幅拡大してプローブ１１に伝達する。
【００３７】
すると、プローブ１１は、ランジュバン型ボルト締め超音波振動子１２からの超音波振動が先端まで伝達されて、先端部で生体組織を粉砕・乳化し、その粉砕・乳化した生体組織を、その中空部で吸引する。このプローブ１１で吸引された生体組織は、ランジュバン型ボルト締め超音波振動子１２の吸引路１２６を通ってタケノコ付き吸引チューブ２１を介して上記吸引ポンプ６に吸引され吸引瓶７に排出される。
【００３８】
この第２の実施の形態においては、ランジュバン型ボルト締め超音波振動子１２を、その吸引路１２６の末端部が把持部２０の末端部に対して突出させて内装し、この吸引路１２６の末端部にタケノコ付き吸引チューブ２１を装着するように構成した。
【００３９】
これによれば、把持部２０の軸方向の長さ寸法Ｌ１を最小限までの短縮化を図ることが可能となる。
【００４０】
即ち、把持部２０の軸方向の長さ寸法Ｌ１は、ランジュバン型ボルト締め超音波振動子１２の軸方向の長さ寸法Ｌより短く設定され、この把持部２０より突出されるランジュバン型ボルト締め超音波振動子１２の吸引路１２６に対して、例えばタケノコ付き吸引チューブ２１を装着して吸引系との連結が行われる。これに対して、例えば図６に示すように把持部２０ａ内に内装したランジュバン型ボルト締め超音波振動子１２の吸引路１２６を、把持部２０ａの末端部に配した吸引口金部材２２に連結するように構成した場合には、把持部２０ａの軸方向の長さ寸法Ｌ２が、ランジュバン型ボルト締め超音波振動子１２の長さ寸法Ｌに比して長形化される。
【００４１】
このように第２の実施の形態では、ランジュバン型ボルト締め超音波振動子１２の吸引路１２６を把持部２０の末端部より突出するように内装していることにより、ランジュバン型ボルト締め超音波振動子１２の高出力化を図ったうえで、把持部２０の処置操作に好適するまでの短縮化を図ることができる。
【００４２】
また、上記実施の形態では、ランジュバン型ボルト締め超音波振動子１２の吸引路１２６を、把持部２０の末端部より突出させるように構成した場合で説明したが、これに限ることなく、その他、ランジュバン型ボルト締め超音波振動子１２の吸引路１２６を、把持部２０の末端部と略面一に配置した状態で、把持部２０内に内装するように構成しても、略同様の効果が期待される。
【００４３】
なお、この発明は、コード折れ止め構造として、上記各実施の形態で説明した構成に限ることなく、その他、例えば図７、図８及び図９、図１０及び図１１に示すように構成することも可能で、さらに良好な効果を期待することができる。但し、この図７乃至図１１においては、上記第２の実施の形態に適用した例を示す。
【００４４】
先ず、図７においては、接続ケーブル３を上記ランジュバン型ボルト締め超音波振動子１２の内装される把持部２０に対して矢印Ａ方向に回動自在な導通ジョイント機構３０を介して同方向に回動調整可能に配線接続するように構成することも可能である。この導通ジョイント機構３０としては、その他、軸と直交する軸回り（図７中矢印Ａ方向）及び軸回り（図７中矢印Ｂ方向）の二軸回りに回動可能な、所謂ユニバーサルジョイント式を用いて構成することも可能である。
【００４５】
また、図８及び図９に示すコード折れ止め構造は、コード折れ止め部材３１に凹部３１１を形成し、この凹部３１１内にランジュバン型ボルト締め超音波振動子１２の吸引路１２６を収容するように構成したもので、さらに小型化（細径化）の促進を図ることが可能となる。
【００４６】
また、図１０に示すコード折れ止め構造は、把持部２０の末端部に閉塞壁２０２を設ける。そして、コード折れ止め部材３２には、上記把持部２０の閉塞壁２０２を覆う取付カバー部３２１を設け、この取付カバー部３２１には、ランジュバン型ボルト締め超音波振動子１２の吸引路１２６を挿通する挿通孔３２２及び接続ケーブル挿通孔３２３を設けるように構成したものである。
【００４７】
さらに、図１１に示すようにコード折れ止め構造は、コード折れ止め部材３３に把持部２０の末端部を閉塞する取付カバー部３３１を設け、この取付カバー部３３１にランジュバン型ボルト締め超音波振動子１２の吸引路１２６を挿通する挿通孔３３２及び接続ケーブル挿通孔３３３を取付け配置するように構成したものである。
【００４８】
さらに、上記各実施の形態では、ハンドピース１を構成する把持部１０、２０を略円筒状に形成した場合で説明したが、これに限ることなく、例えば把持部１０，２０の外形形状を、略断面Ｄ字状の筒状に形成したり、その他、各種外形形状に形成することが可能で、同様の効果が期待される。
【００４９】
よって、この発明は、上記実施の形態に限ることなく、その他、実施段階ではその要旨を逸脱しない範囲で種々の変形を実施し得ることが可能である。さらに、上記実施の形態には、種々の段階の発明が含まれており、開示される複数の構成要件における適宜な組合せにより種々の発明が抽出され得る。
【００５０】
例えば実施の形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【００５１】
また、この発明は、上記各実施の形態によれば、その他、次のような構成を得ることもできる。
【００５２】
（付記１）
超音波処置用ハンドピース内に内蔵される超音波振動を生じさせる少なくとも１つ以上の圧電素子と、前記圧電素子で発生された振動を拡大させて伝達する固定用フランジ部を有するホーン部と、前記圧電素子を両側から挟み込む複数の電極と、前記圧電素子と前記電極とを貫通したボルトからなる、前記ホーンと前記圧電素子と前記電極とが一体のブロック構造をなしているランジュバン型ボルト締め超音波振動子と、
前記ランジュバン型ボルト締め超音波振動子で発生した超音波振動を生体組織に伝達して超音波処置をするプローブと、
前記プローブの先端に設けられている乳化された組織を回収するための開口部と、
前記開口部より組織片を吸引する吸引管路と、
前記ランジュバン型ボルト締め超音波振動子と前記吸引管路を覆う操作部とからなるハンドピースにおいて、
前記操作部の長軸と前記ランジュバン型ボルト締め超音波振動子の長軸とが一致していないことを特徴とする超音波処置装置。
【００５３】
（付記２）
超音波処置用ハンドピース内に内蔵される超音波振動を生じさせる少なくとも１つ以上の圧電素子と、前記圧電素子で発生された振動を拡大させて伝達する固定用フランジ部を有するホーン部と、前記圧電素子を両側から挟み込む複数の電極と、前記圧電素子と電極とを貫通したボルトからなる、前記ホーンと前記圧電素子と前記電極とが一体のブロック構造をなしているランジュバン型ボルト締め超音波振動子と、
前記ランジュバン型ボルト締め超音波振動子で発生した超音波振動を生体組織に伝達して超音波処置をするプローブと、
前記プローブの先端に設けられている乳化された組織を回収するための開口部と、
前記開口部より組織片を吸引する吸引管路と、
前記ランジュバン型ボルト締め超音波振動子と前記吸引管路を覆う操作部とからなるハンドピースにおいて、
前記ランジュバン型ボルト締め超音波振動子の末端部と前記把持部の末端部はハンドピース長軸方向に対して略同じ位置、もしくは前記ランジュバン型ボルト締め超音波振動子の末端部が、前記把持部の末端部より、延出されることを特徴とする超音波処置装置。
【図面の簡単な説明】
【００５４】
【図１】この発明の実施の形態の適用される超音波処置装置の外観構成を示した斜視図である。
【図２】この発明の第１の実施の形態に係る超音波処置装置のハンドピースを取り出して示した断面図である。
【図３】図１の効果を説明するために示した断面図である。
【図４】この発明の第２の実施の形態に係る超音波処置装置のハンドピースを取り出して示した断面図である。
【図５】図４の吸引チューブの一例を示した斜視図である。
【図６】図４の効果を説明するために示した断面図である。
【図７】この発明に適用されるコード折れ止め構造の他の実施例を示した斜視図である。
【図８】この発明に適用されるコード折れ止め構造の他の実施例を示した断面図である。
【図９】図８のコード折れ止め構造に用いられるコード折れ止め部材を取り出して示した斜視図である。
【図１０】この発明に適用されるコード折れ止め構造の他の実施例を示した断面図である。
【図１１】図１０のコード折れ止め構造の他例を示した断面図である。
【符号の説明】
【００５５】
１…ハンドピース、２…装置本体、２ａ…電源スイッチ、２ｂ…超音波出力レベルスイッチ、２ｃ…接続ケーブル、３…接続ケーブル、４…吸引チューブ、５…接続コネクタ、６…吸引ポンプ、７…吸引瓶、８…フットスイッチ、８ａ…超音波出力ペダル、８ｂ…吸引用ペダル、１０…把持部、１０１…取付部、１１…プローブ、１２…ランジュバン型ボルト締め超音波振動子、１２１…ホーン、１２２…圧電素子、１２３…電極、１２４…裏打板、１２５…電線、１２６…吸引路、１２７…配線部材、１２８…弾性部材、１３…カニメ部材、１４…位置決め部材、１５…吸引口金部材、１６…コード折れ止め部材、２０…把持部、２０１…取付部、２０２…閉塞壁、２１…タケノコ付き吸引チューブ、２１１…接続口、３０…導通ジョイント機構、３１…コード折れ止め部材、３１１…凹部、３２…コード折れ止め部材、３２１…取付カバー部、３２２…挿通孔、３２３…接続ケーブル挿通孔、３３…コード折れ止め部材、３３１…取付カバー部、３３２…挿通孔、３３３…接続ケーブル挿通孔。
【図１】
2006006390.tif 000003
【図２】
2006006390.tif 000004
【図３】
2006006390.tif 000005
【図４】
2006006390.tif 000006
【図５】
2006006390.tif 000007
【図６】
2006006390.tif 000008
【図７】
2006006390.tif 000009
【図８】
2006006390.tif 000010
【図９】
2006006390.tif 000011
【図１０】
2006006390.tif 000012
【図１１】
2006006390.tif 000013